【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】  用紙を積載する用紙積載手段と、
前記用紙上にトナー画像を形成する画像形成手段と、
前記画像形成手段が形成したトナー画像を前記用紙へ定着させる熱定着手段と、
前記用紙に対して画像形成すべき旨の信号を受信したことに応じて前記熱定着手段による加熱を開始させるとともに、前記用紙積載手段から用紙の給紙を開始してから所定時間経過した後に前記トナー像を前記用紙に熱定着させるよう制御する制御手段と、
前記画像形成装置の画像形成モードを設定する設定手段と、を有し、
前記制御手段は、前記設定手段により第１のモードが設定されている場合、前記画像形成すべき旨の信号を受信してから所定の待機時間が経過した後に前記用紙積載手段からの用紙の給紙を開始させ、前記設定手段により第２のモードが設定されている場合、前記画像形成すべき旨の信号を受信したことに応じて前記用紙積載手段からの用紙の給紙を開始させることを特徴とする画像形成装置。
【請求項２】  前記熱定着手段の目標温度を記憶する記憶手段を有し、
前記制御手段は、前記設定手段により第３のモードが設定されている場合に、前記画像形成すべき旨の信号を受信する以前に前記記憶手段に記憶されている前記目標温度に基づいて、前記用紙積載手段から用紙の給紙を開始させるタイミングを切り換えることを特徴とする請求項１に記載の画像形成装置。
【請求項３】  前記制御手段は、前記設定手段により第３のモードが設定されている場合に、前記画像形成すべき旨の信号を受信する以前に前記記憶手段に記憶されている前記目標温度が所定温度未満である場合は、前記画像形成すべき旨の信号を受信してから所定の待機時間が経過した後に前記用紙積載手段からの用紙の給紙を開始させ、前記設定手段により第３のモードが設定されている場合であって、前記画像形成すべき旨の信号を受信する以前に前記記憶手段に記憶されている前記目標温度が所定温度以上である場合は、前記画像形成すべき旨の信号を受信したことに応じて前記用紙積載手段からの用紙の給紙を開始させることを特徴とする請求項２に記載の画像形成装置。
【請求項４】  更に、前記熱定着手段の温度を検知する温度検知手段を有し、
前記制御手段は、前記設定手段により第３のモードが設定されている場合は、前記温度検出手段の検出結果に基づいて、前記用紙積載手段から用紙の給紙を開始させるタイミングを切り換えることを特徴とする請求項１に記載の画像形成装置。
【請求項５】  前記制御手段は、前記設定手段により第３のモードが設定されている場合に、前記画像形成すべき旨の信号を受信したときに前記温度検出手段が検出する温度が所定温度未満である場合は、前記画像形成すべき旨の信号を受信してから所定の待機時間が経過した後に前記用紙積載手段からの用紙の給紙を開始させ、前記設定手段により第３のモードが設定されている場合であって、前記画像形成すべき旨の信号を受信したときに前記温度検出手段が検出する温度が所定温度以上である場合は、前記画像形成すべき旨の信号を受信したことに応じて前記用紙積載手段からの用紙の給紙を開始させることを特徴とする請求項４に記載の画像形成装置。
【請求項６】  前記所定時間は、前記用紙が前記用紙積載手段から給紙されてから前記熱定着手段に到達するまでの時間であることを特徴とする請求項１乃至５のいずれかの項に記載の画像形成装置。
【手続補正２】
【補正対象書類名】明細書
【補正対象項目名】００１６
【補正方法】変更
【補正の内容】
【００１６】
【課題を解決するための手段】
上記目的を達成するため、本発明では、画像形成装置を次の（１）ないし（６）のとおりに構成する。
（１）用紙を積載する用紙積載手段と、
前記用紙上にトナー画像を形成する画像形成手段と、
前記画像形成手段が形成したトナー画像を前記用紙へ定着させる熱定着手段と、
前記用紙に対して画像形成すべき旨の信号を受信したことに応じて前記熱定着手段による加熱を開始させるとともに、前記用紙積載手段から用紙の給紙を開始してから所定時間経過した後に前記トナー像を前記用紙に熱定着させるよう制御する制御手段と、
前記画像形成装置の画像形成モードを設定する設定手段と、を有し、
前記制御手段は、前記設定手段により第１のモードが設定されている場合、前記画像形成すべき旨の信号を受信してから所定の待機時間が経過した後に前記用紙積載手段からの用紙の給紙を開始させ、前記設定手段により第２のモードが設定されている場合、前記画像形成すべき旨の信号を受信したことに応じて前記用紙積載手段からの用紙の給紙を開始させることを特徴とする画像形成装置。
（２）前記熱定着手段の目標温度を記憶する記憶手段を有し、
前記制御手段は、前記設定手段により第３のモードが設定されている場合に、前記画像形成すべき旨の信号を受信する以前に前記記憶手段に記憶されている前記目標温度に基づいて、前記用紙積載手段から用紙の給紙を開始させるタイミングを切り換えることを特徴とする前記（１）に記載の画像形成装置。
（３）前記制御手段は、前記設定手段により第３のモードが設定されている場合に、前記画像形成すべき旨の信号を受信する以前に前記記憶手段に記憶されている前記目標温度が所定温度未満である場合は、前記画像形成すべき旨の信号を受信してから所定の待機時間が経過した後に前記用紙積載手段からの用紙の給紙を開始させ、前記設定手段により第３のモードが設定されている場合であって、前記画像形成すべき旨の信号を受信する以前に前記記憶手段に記憶されている前記目標温度が所定温度以上である場合は、前記画像形成すべき旨の信号を受信したことに応じて前記用紙積載手段からの用紙の給紙を開始させることを特徴とする前記（２）に記載の画像形成装置。
（４）更に、前記熱定着手段の温度を検知する温度検知手段を有し、
前記制御手段は、前記設定手段により第３のモードが設定されている場合は、前記温度検出手段の検出結果に基づいて、前記用紙積載手段から用紙の給紙を開始させるタイミングを切り換えることを特徴とする前記（１）に記載の画像形成装置。
（５）前記制御手段は、前記設定手段により第３のモードが設定されている場合に、前記画像形成すべき旨の信号を受信したときに前記温度検出手段が検出する温度が所定温度未満である場合は、前記画像形成すべき旨の信号を受信してから所定の待機時間が経過した後に前記用紙積載手段からの用紙の給紙を開始させ、前記設定手段により第３のモードが設定されている場合であって、前記画像形成すべき旨の信号を受信したときに前記温度検出手段が検出する温度が所定温度以上である場合は、前記画像形成すべき旨の信号を受信したことに応じて前記用紙積載手段からの用紙の給紙を開始させることを特徴とする前記（４）に記載の画像形成装置。
（６）前記所定時間は、前記用紙が前記用紙積載手段から給紙されてから前記熱定着手段に到達するまでの時間であることを特徴とする前記（１）乃至（５）のいずれかの項に記載の画像形成装置。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】